【手続補正書】
【提出日】平成19年2月6日(2007.2.6)
【手続補正１】
【補正対象書類名】特許請求の範囲
【補正対象項目名】全文
【補正方法】変更
【補正の内容】
【特許請求の範囲】
【請求項１】
係合させた状態で互いの間に被検体内情報取得装置を保持するための保持空間領域を形成し、前記保持空間領域内に前記被検体内情報取得装置を収容して保持する分離自在な第１および第２の保持手段と、
前記第１および第２の保持手段のいずれか一方が有する分離取り出し用の把持部の周囲に把持空間を形成する把持空間形成部と、
を備えることを特徴とする被検体内情報取得装置の収容ケース。
【請求項２】
前記第１および第２の保持手段は、いずれか一方に設けられた第１のタグと、前記第１のタグから離反する方向に曲げ癖がつけられて他方に設けられ前記第１の保持手段と第２の保持手段とが係合された状態で前記第１のタグに載置されて前記把持部として機能する第２のタグとを備え、前記第２のタグは、前記把持空間形成部を構成することを特徴とする請求項１に記載の被検体内情報取得装置の収容ケース。
【請求項３】
前記第１および第２の保持手段は、いずれか一方に設けられた第１のタグと、他方に設けられ前記第１の保持手段と第２の保持手段とが係合された状態で前記第１のタグに載置されて前記把持部として機能する第２のタグとを備え、
前記把持空間形成部は、前記第１のタグおよび第２のタグの対向面に位置して互いの間に浮き空間を形成する複数の突起により構成されることを特徴とする請求項１に記載の被検体内情報取得装置の収容ケース。
【請求項４】
前記第１および第２の保持手段は、いずれか一方に設けられた第１のタグと、他方に設けられ前記第１の保持手段と第２の保持手段とが係合された状態で前記第１のタグに載置されて前記把持部として機能する第２のタグとを備え、
前記第１のタグは、前記第２のタグが載置される部分に位置させて折り曲げ切断用の薄肉部を有し、
前記把持空間形成部は、前記第１のタグを前記薄肉部で折り曲げ切断して前記第２のタグの一部両面を露出させることにより把持空間を形成することを特徴とする請求項１に記載の被検体内情報取得装置の収容ケース。
【請求項５】
前記第１および第２の保持手段は、いずれか一方に設けられた第１のタグと、他方に設けられ前記第１の保持手段と第２の保持手段とが係合された状態で前記第１のタグに載置されて前記把持部として機能する第２のタグとを備え、
前記把持空間形成部は、前記第１のタグに形成されて、載置される前記第２のタグの先端部を押し上げるばね性を持たせた押し上げ部により構成されることを特徴とする請求項１に記載の被検体内情報取得装置の収容ケース。
【請求項６】
前記第１および第２の保持手段は、いずれか一方に設けられた第１のタグと、他方に設けられ前記第１の保持手段と第２の保持手段とが係合された状態で前記第１のタグに載置されて前記把持部として機能する第２のタグとを備え、
前記把持空間形成部は、前記第１のタグを前記第２のタグから離反する方向に折り曲げる折り曲げ構造により構成されることを特徴とする請求項１に記載の被検体内情報取得装置の収容ケース。
【請求項７】
前記把持空間形成部は、前記第１および第２の保持手段の他方に設けられて前記把持部の周囲に把持空間を形成するテーパー部により構成されることを特徴とする請求項１に記載の被検体内情報取得装置の収容ケース。
【請求項８】
前記第１および第２の保持手段の一部に形成されて一方を他方に対して斜め方向に引き抜かせる分離取り出し用の斜め引き抜き構造をさらに備えることを特徴とする請求項１〜７のいずれか一つに記載の被検体内情報取得装置の収容ケース。
【請求項９】
係合させた状態で互いの間に被検体内情報取得装置を保持するための保持空間領域を形成し、前記保持空間領域内に前記被検体内情報取得装置を収容して保持する分離自在な第１および第２の保持手段と、
前記第１および第２の保持手段の一部に形成されて一方を他方に対して斜め方向に引き抜かせる分離取り出し用の斜め引き抜き構造と、
を備えることを特徴とする被検体内情報取得装置の収容ケース。
【請求項１０】
前記第１および第２の保持手段は、いずれか一方に設けられた第１のタグと、他方に設けられ前記第１の保持手段と第２の保持手段とが係合された状態で前記第１のタグに載置される第２のタグとを備え、
前記斜め引き抜き構造は、前記第１および第２の保持手段の前記第１のタグおよび第２のタグを備える側に設けられていることを特徴とする請求項９に記載の被検体内情報取得装置の収容ケース。
【請求項１１】
前記収容ケースは、前記保持空間領域を閉塞し、滅菌ガス透過性を有する滅菌シートを、さらに備えることを特徴とする請求項１〜１０のいずれか一つに記載の被検体内情報取得装置の収容ケース。
【請求項１２】
前記第１および第２の保持手段は、いずれか一方に設けられた第１のタグと、折り曲げ自在に形成されて他方に設けられ前記第１の保持手段と第２の保持手段とが係合された状態で前記第１のタグに載置されて前記把持部として機能する第２のタグとを備え、
前記第２のタグを折り曲げ状態として前記第１および第２の保持手段の表面を覆う剥離自在なシール部材をさらに備え、
前記第２のタグは、前記シール部材の剥離状態で折り曲げ状態から復元して前記把持空間形成部を構成することを特徴とする請求項１に記載の被検体内情報取得装置の収容ケース。
【請求項１３】
前記シール部材は、滅菌ガス透過性を有する滅菌シートであることを特徴とする請求項１２に記載の被検体内情報取得装置の収容ケース。
【請求項１４】
前記被検体内情報取得装置は、画像情報を取得するカプセル型内視鏡であることを特徴とする請求項１〜１３のいずれか一つに記載の被検体内情報取得装置の収容ケース。
【請求項１５】
前記保持手段は、前記カプセル型内視鏡の電源供給状態を確認可能な透光性の部分を有することを特徴とする請求項１４に記載の被検体内情報取得装置の収容ケース。
【手続補正２】
【補正対象書類名】明細書
【補正対象項目名】発明の名称
【補正方法】変更
【補正の内容】
【発明の名称】被検体内情報取得装置の収容ケース
【手続補正３】
【補正対象書類名】明細書
【補正対象項目名】０００１
【補正方法】変更
【補正の内容】
【０００１】
本発明は、被検体内に導入されて被検体内部の画像情報を取得する被検体内情報取得装置、たとえば飲み込み型のカプセル型内視鏡を収容する被検体内情報取得装置の収容ケースに関するものである。
【手続補正４】
【補正対象書類名】明細書
【補正対象項目名】０００７
【補正方法】変更
【補正の内容】
【０００７】
本発明は、上記問題に鑑みてなされたものであって、被検体内情報取得装置を固定可能に保持して、たとえば検査時などの必要な時に被検体内情報取得装置の駆動を確実に行うことを可能にするとともに、被検体内情報取得装置を容易に取り出すことができる被検体内情報取得装置の収容ケースを提供することにある。
【手続補正５】
【補正対象書類名】明細書
【補正対象項目名】００１９
【補正方法】変更
【補正の内容】
【００１９】
本発明にかかる被検体内情報取得装置の収容ケースは、係合させることによって、被検体内情報取得装置を保持するための保持空間領域を形成する第１および第２の保持手段に対して、いずれか一方が有する分離取り出し用の把持部の周囲に把持空間を形成する把持空間形成部を備えることで、被検体内情報取得装置を固定可能に保持して、たとえば検査時などの必要な時に被検体内情報取得装置の駆動を確実に行うことを可能にするとともに、把持空間を利用して把持部を把持して第１および第２の保持手段の一方を他方から分離取り出しすることで被検体内情報取得装置を容易に取り出すことができるという効果を奏する。